(57)【要約】【課題】電子機器を遠隔操作してソーシャルメディア機能を実施するリモートコントロール方法及びそのリモートコントローラーの提供。【解決手段】本発明は、電子機器を遠隔操作してソーシャルメディア機能を実施するリモートコントロール方法及びそのリモートコントローラーを開示する。該リモートコントローラーは、再生メディアのコマンドを電子機器に伝えた後、メディア再生最新データをサーバーにアップロードし、これによりサーバーは、受信したメディア再生最新データ、その他の各リモートコントローラーが事前にアップロードした各アドレス帳及び各メディア再生最新データに基づき、判断を下した後、オンラインデータをリモートコントローラーに伝送し、リモートコントローラーは、オンラインデータに基づき、ディスプレイにアドレス帳の各人の最新オンライン情報を表示し、並びに、選択性でソーシャルチャットプログラムを実行してコミュニケーションを実現する。【選択図】図１Ａ
2013097781.tif 000002
【特許請求の範囲】
【請求項１】
電子機器を遠隔操作してソーシャルメディア機能を実施するリモートコントロール方法において、
その内、前記リモートコントローラーは、通信リンクによってサーバーに接続し、尚且つ再生リストを備え、該再生リストは少なくとも一つ以上の再生項目を含み、
また、リモートコントローラーは、再生リストに基づいて入力装置より操作コマンドを受信し、並びに、操作コマンドに基づき無線信号送信モジュールを通して操作コマンドに対応する無線信号コマンドを電子機器に伝送し、
サーバーは、通信リンクを通してオンライン状態データを伝送し、並びに、通信リンクを通して各リモートコントローラーが伝送するメディア再生最新データを受信し、
リモートコントロール方法は、
（Ａ）リモートコントローラーを提供し、その内、リモートコントローラーは、処理装置、ディスプレイ、入力装置、無線信号送信モジュール、及びソーシャルチャットプログラムを含み、
（Ｂ）リモートコントローラーにアドレス帳を取得させ、リモートコントローラーは通信リンクを経てアドレス帳をサーバーにアップロードし、その内、サーバーは受信したアドレス帳を記憶し、
（Ｃ）リモートコントローラーは、電子機器に対して再生項目の再生に用いる無線信号コマンドを伝送した後、通信リンクを経て、再生に用いる無線信号コマンドに対応するメディア再生最新データをサーバーに伝送し、これにより、該サーバーは、受信したメディア再生最新データ、先に記憶し尚且つリモートコントローラーに対応するアドレス帳、及びアドレス帳の各人が持つ別のリモートコントローラーによってサーバーに送信された別の各メディア再生最新に基づき、判断を行い、その後、通信リンクを経由して、オンラインデータをリモートコントローラーに伝送し、
（Ｄ）リモートコントローラーは、通信リンクによってオンラインデータを受信し、その後、オンラインデータに基づいて、ディスプレイにアドレス帳の各人の最新オンライン情報画面を表示し、
（Ｅ）リモートコントローラーの処理装置は選択性でソーシャルチャットプログラムを実行し、サーバーにオンライン中の他の人とソーシャルチャットプログラムによってコミュニケーションを図るステップを含むことを特徴とする電子機器を遠隔操作してソーシャルメディア機能を実施するリモートコントロール方法及びそのリモートコントローラー。
【請求項２】
前記電子機器はテレビ、セットアップボックス、パソコンの何れか一つであることを特徴とする請求項１に記載のリモートコントロール方法。
【請求項３】
前記通信リンクは、有線通信ネットワーク、無線通信ネットワーク、ローカルエリアネットワーク、インターネットの何れか一つであることを特徴とする請求項１に記載のリモートコントロール方法。
【請求項４】
前記再生リストは、有線ケーブルテレビ局の電子番組ガイド、ラジオ/テレビ局の電子番組ガイド、インターネットテレビの電子番組ガイド、メディア提供サイトのＵＲＬ表、カラオケの歌曲総覧、ＣＤ／ＭＰ３の歌曲総覧、ＤＶＤのフィルム総覧、ＶＣＤのフィルム総覧、ブルーレイディスクの総覧の何れか一つであることを特徴とする請求項１に記載のリモートコントロール方法。
【請求項５】
前記入力装置はリモートコントローラー上に設置する複数個のキーであることを特徴とする請求項１に記載のリモートコントロール方法。
【請求項６】
前記入力装置とディスプレイは公知のタッチディスプレイ装置であることを特徴とする請求項１に記載のリモートコントロール方法。
【請求項７】
前記メディア再生最新データは少なくとも一名称と一識別データを含むことを特徴とする請求項１に記載のリモートコントロール方法。
【請求項８】
前記アドレス帳データは少なくとも一名称を含み、尚且つ、選択性で一その他データを含むことを特徴とする請求項１に記載のリモートコントロール方法。
【請求項９】
前記オンラインデータは少なくとも一名称と、一状態フラグと、一メディアタイトルを含むことを特徴とする請求項１に記載のリモートコントロール方法。
【請求項１０】
前記リモートコントローラーは、
通信リンクに接続し、通信リンクを通してサーバーに接続するネットワーク通信モジュールと、
入力装置と、ディスプレイと、無線信号送信モジュールと、処理装置と、
ソーシャルチャットプログラムを記憶する不揮発性記憶装置と、再生リストと、プログラムコードを含み、
その内、再生リストには、少なくとも一つ以上の再生項目を含み、処理装置は再生リストに基づいて入力装置を経て操作コマンドを受信し、該処理装置は、操作コマンドに基づいて、無線信号送信モジュールより操作コマンドに対応する無線信号コマンドを電子機器に伝送し、処理装置はプログラムコードを実施するのに用いられ、
その内、プログラムコードには、リモートコントローラーにアドレス帳のデータを取得させ、該アドレス帳を通信リンクよりサーバーにアップロードさせるコマンドを含み、該サーバーは、受信したアドレス帳を記憶するのに用い、リモートコントローラーは、再生項目の再生に用いる無線信号コマンドを電子機器に伝送した後、通信リンクを経て、再生に用いる無線信号コマンドに対応するメディア再生最新データをサーバーに伝送し、これによりサーバーは、受信したメディア再生最新データ、事前に記憶し尚且つリモートコントローラーに対応するアドレス帳、及びアドレス帳の各人が持つ別のリモートコントローラーによってサーバーに送信された別の各メディア再生最新データに基づき、判断を行い、その後、通信リンクを経てオンライン状態データをリモートコントローラーに伝送し、
リモートコントローラーは、通信リンクを経てオンラインデータを受信した後、オンラインデータに基づき、ディスプレイにアドレス帳の各人の最新オンライン情報を表示し、
また、リモートコントローラーの処理装置は選択性でソーシャルチャットプログラムを実行し、サーバーにオンライン中の他の人とソーシャルチャットプログラムによってコミュニケーションを図ることを特徴とするリモートコントローラー。
【請求項１１】
前記電子機器はテレビ、セットアップボックス、パソコンの何れか一つであることを特徴とする請求項１１に記載のリモートコントローラー。
【請求項１２】
前記通信リンクは、有線通信ネットワーク、無線通信ネットワーク、ローカルエリアネットワーク、インターネットの何れか一つであることを特徴とする請求項１１に記載のリモートコントローラー。
【請求項１３】
前記再生リストは、有線ケーブルテレビ局の電子番組ガイド、ラジオテレビ局の電子番組ガイド、インターネットテレビの電子番組ガイド、メディア提供サイトのＵＲＬ表、カラオケの歌曲総覧、ＣＤ／ＭＰ３の歌曲総覧、ＤＶＤのフィルム総覧、ＶＣＤのフィルム総覧、ブルーレイディスクの総覧の何れか一つであることを特徴とする請求項１１に記載のリモートコントローラー。
【請求項１４】
前記入力装置はリモートコントローラー上に設置する複数個のキーであることを特徴とする請求項１１に記載のリモートコントローラー。
【請求項１５】
前記入力装置とディスプレイは公知のタッチディスプレイ装置であることを特徴とする請求項１１に記載のリモートコントローラー。
【請求項１６】
前記メディア再生最新データは少なくとも一名称と一識別データを含むことを特徴とする請求項１１に記載のリモートコントローラー。
【請求項１７】
前記アドレス帳データは少なくとも一名称を含み、尚且つ、選択性で一その他データを含むことを特徴とする請求項１１に記載のリモートコントローラー。
【請求項１８】
前記オンラインデータは少なくとも一名称と、一状態フラグと、一メディアタイトルを含むことを特徴とする請求項１１に記載のリモートコントローラー。
【発明の詳細な説明】
【技術分野】
【０００１】
本発明は、リモートコントロール方法及びそのリモートコントローラーに関し、特に、電子機器を遠隔操作してソーシャルメディア機能を実施するリモートコントロール方法及びそのリモートコントローラーに係る。
【背景技術】
【０００２】
家電製品に用いられる公知のリモートコントローラーは概ね二種類に分類される。一つは単機能リモコンで、組み合わせる一つの家電製品に対してリモート操作を行うもので、この種のリモコンは全てのリモート機能を一つ一つ個別のキーを使用してリモート操作を実施し、使用者は自分で選定したキーによって家電製品にリモート操作を行う。もう一つは多機能リモコンで、同時に二つ以上の家電製品のリモートコントロールを行うことができる。この種のリモコンは事前にリモートコントロールを行いたい全ての家電製品のリモコンコマンドコードを内部の記憶回路に覚え込ませている。しかし、前記二種類の公知リモコンの提供するインタフェースはキーであるだけであり、公知リモコンの設計理念は、単に家電製品のパネル上の操作キーを代替するだけであり、よって、公知のリモコンは使用者が必要とする充分なデータを完全には提供できない。
【０００３】
公知のスマートテレビにはソーシャルテレビ機能が備えられていることもあるが、その製造コストは非常に高く、一般の消費者には受け入れられないものである。
【０００４】
本発明の発明者は、特許文献１の中華民国特許出願第０９３１１８７５４号の「電子機器を遠隔操作するリモートコントロール方法及びそのマルチリモートコントローラー」を出願しており、既に公開されている該関連特許を本発明の参考とする。
【０００５】
本発明の発明者は、公知のリモートコントローラーと公知のスマートテレビの欠点に鑑み、改良を積み重ね、電子機器を遠隔操作してソーシャルメディア機能を実施するリモートコントロール方法及びそのリモートコントローラーの発明によって、リモコン上にソーシャルメディア機能を実現した。
【先行技術文献】
【特許文献】
【０００６】
【特許文献１】中華民国特許出願第０９３１１８７５４号明細書
【発明の概要】
【発明が解決しようとする課題】
【０００７】
本発明の目的は、使用者に本発明のリモートコントローラーを用いてソーシャルメディア機能を楽しんでもらうための電子機器を遠隔操作してソーシャルメディア機能を実施するリモートコントロール方法及びそのリモートコントローラーを提供することにある。
【課題を解決するための手段】
【０００８】
本発明の上述目的を達成するために、本発明は電子機器を遠隔操作してソーシャルメディア機能を実施するリモートコントロール方法及びそのリモートコントローラーを提供する。その内、リモートコントローラーは、通信リンクによってサーバーに接続し、尚且つ、再生リストを備える。該再生リストは少なくとも一つ以上の再生項目を含み、再生リストに基づき、リモートコントローラーは入力装置を通して操作コマンドを受信する。該リモートコントローラーは、無線信号送信モジュールを使って電子機器に操作コマンドに対応する無線信号コマンドを伝送し、サーバーは、通信リンクを通してオンラインデータを伝送し、並びに通信リンクを通して各リモートコントローラーが伝送するメディア再生最新データを受信する。
【０００９】
また、リモートコントロール方法には次のステップを含む。
（Ａ）リモートコントローラーには、処理装置、ディスプレイ、入力装置、無線信号送信モジュール、及びソーシャルチャットプログラムを含む。
（Ｂ）リモートコントローラーにアドレス帳を取得させ、並びに、通信リンクによりアドレス帳をサーバーにアップロードさせる。その内、サーバーは受信したアドレス帳を記憶する。
（Ｃ）リモートコントローラーは、電子機器に対して再生項目の再生に用いる無線信号コマンドを伝送した後、通信リンクを経てサーバーに再生に用いる無線信号コマンドに対応するメディア再生最新データを伝送する。これにより、該サーバーは、受信したメディア再生最新データ、先に記憶し尚且つリモートコントローラーに対応するアドレス帳、及びアドレス帳の各人が持つ別のリモートコントローラーによってサーバーに送信された別の各メディア再生最新データに基づき、判断を行い、その後、通信リンクを経由してリモートコントローラーに対してオンラインデータを伝送する。
（Ｄ）リモートコントローラーは、通信リンクによってオンラインデータを受信し、その後、オンラインデータに基づいて、ディスプレイにアドレス帳の各人の最新オンライン情報画面を表示する。
（Ｅ）リモートコントローラーの処理装置は選択性でソーシャルチャットプログラムを実行し、サーバーにオンライン中の他の人とソーシャルチャットプログラムによってコミュニケーションを図ることができる。
【００１０】
さらに本発明は、上述のリモートコントロール方法に基づくリモートコントローラーを提供し、それは、通信リンクに接続し通信リンクを通してサーバーに接続するネットワーク通信モジュールと、入力装置と、ディスプレイと、無線信号送信モジュールと、処理装置と、ソーシャルチャットプログラムを記憶する不揮発性記憶装置と、再生リストとプログラムコードを含む。その内、再生リストには、少なくとも一つ以上の再生項目を含み、処理装置は再生リストに基づいて入力装置を経て操作コマンドを受信し、該処理装置は無線信号送信モジュールを用いて電子機器に対し操作コマンドに対応する無線信号コマンドを伝送し、該処理装置はプログラムコードを実施する働きをする。その内、プログラムコードには、リモートコントローラーにアドレス帳のデータを取得させ、該アドレス帳を通信リンクよりサーバーにアップロードさせるコマンドを含む。その内、サーバーは受信したアドレス帳を記憶するのに用いる。リモートコントローラーは、電子機器に対して再生項目の再生に用いる無線信号コマンドを伝送した後、通信リンクを経てサーバーに再生に用いる無線信号コマンドに対応するメディア再生最新データを伝送する。これにより、サーバーは、受信したメディア再生最新データ、事前に記憶し尚且つリモートコントローラーに対応するアドレス帳、及びアドレス帳の各人が持つ別のリモートコントローラーによってサーバーに送信された別の各メディア再生最新データに基づき、判断を行い、その後、通信リンクによってオンラインデータをリモートコントローラーに伝送する。リモートコントローラーは、通信リンクを経由してオンラインデータを受信した後、オンラインデータに基づき、ディスプレイにアドレス帳の各人の最新オンライン情報を表示する。また、リモートコントローラーの処理装置は選択性でソーシャルチャットプログラムを実行し、サーバーにオンライン中の他の人とソーシャルチャットプログラムによってコミュニケーションを図ることができる。
【発明の効果】
【００１１】
本発明の電子機器を遠隔操作してソーシャルメディア機能を実施するリモートコントロール方法及びそのリモートコントローラーは、電子機器を遠隔操作してソーシャルメディア機能を実施する効果を奏する。
【図面の簡単な説明】
【００１２】
【図１Ａ】本発明のリモートコントローラーの構造図である。
【図１Ｂ】本発明のリモートコントローラーを複数の使用者とサーバー間に使用した状態を示す図である。
【図２】本発明に使用した再生リストのデータ構造図である。
【図３】本発明に使用した再生項目のデータ構造図である。
【図４】本発明に係合させたサーバーの構造図である。
【図５】本発明のリモートコントロール方法のフロー図である。
【図６】本発明に使用したアドレス帳のデータ構造図である。
【図７】本発明に使用したメディア再生最新データのデータ構造図である。
【図８】本発明に使用したオンラインデータのデータ構造図である。
【図９】本発明のリモートコントローラーのディスプレイに示されたソーシャルメディア機能の画面である。
【発明を実施するための形態】
【００１３】
本技術の熟知者に本発明の目的、特徴、及び効果を理解して戴くために、次に、添付した図面を参照した具体的な実施例を示し、本発明に対する詳細説明を行う。
【実施例】
【００１４】
図１Ａにおけるリモートコントローラー１０は、本発明と直接関連のあるハードウェアのみを描き、リモートコントローラー１０のその他構成要素に属するが本発明とは直接関連のないものは、ここでは省略した。尚、本発明のリモートコントローラー１０の構成要素には、処理装置１０１、入力装置１０２、ディスプレイ１０３、ネットワーク通信モジュール１０４、不揮発性記憶装置１０５、及び無線信号送信モジュール１０６が含まれ、それぞれを次に説明する。ネットワーク通信モジュール１０４は通信リンク５０に接続し、通信リンク５０を通してサーバー４０に接続する。ネットワーク通信モジュール１０４は、例えば公知の有線イーサネット（登録商標）、無線イーサネット（登録商標）、携帯電話無線ＬＡＮ等の公知関連通信技術を採用する。
【００１５】
前記通信リンク５０は具体的には、有線通信ネットワーク、無線通信ネットワーク、ローカルエリアネットワーク、インターネット（ＩＮＴＥＲＮＥＴ）の何れか一つとする。
【００１６】
不揮発性記憶装置１０５は少なくともプログラムコード１０５ａ、ソーシャルチャットプログラム１０５ｂ、及び再生リスト１０５ｃを記憶するのに用いる。不揮発性記憶装置１０５は例えば公知のフラッシュメモリ或いはその他の不揮発性の固体メモリとする。
【００１７】
本発明のリモートコントローラー１０の処理装置１０１には公知のアーム（ＡＲＭ）の処理装置を採用し、リモートコントローラー１０のソフトウェア環境には公知のアンドロイド（Ａｎｄｒｏｉｄ）システムを直接採用可能である。処理装置１０１の内の一機能には前記プログラムコード１０５ａ及びソーシャルチャットプログラム１０５ｂを実行する。
【００１８】
入力装置１０２とディスプレイ１０３は、最も好ましくは、公知のタッチディスプレイ装置を採用し、それは例えば公知液晶ディスプレイ上に公知抵抗膜式タッチパネルを貼り合わせた公知タッチディスプレイ装置、或いは公知液晶ディスプレイ上に公知静電容量式タッチパネルを貼り合わせた公知タッチディスプレイ装置とする。
【００１９】
入力装置１０２とディスプレイ１０３は分離設計とすることも可能であり、入力装置１０２は例えば複数個の公知キーとし、ディスプレイ１０３には公知液晶ディスプレイを採用する。
【００２０】
入力装置１０２は、音量調節、チャンネル選択、再生（Ｐｌａｙ）等の操作コマンド１０２ａを伝える働きをし、その後、処理装置１０１が前記操作コマンド１０２ａを受信し、操作コマンド１０２ａに基づいて処理を行い、続いて、無線信号送信モジュール１０６が電子機器３０に対して操作コマンド１０２ａに対応する無線信号コマンド１０６ａを無線伝送する。
【００２１】
無線信号送信モジュール１０６は公知リモートコントローラー（例えば公知テレビ用リモコン、公知テレビ用学習型リモコン）の関連無線信号送信回路技術を採用可能である。
【００２２】
更に、リモートコントローラー１０はカードリーダーインタフェース回路１０７を設置可能であり、ＳＤメモリカード等のメモリカード６０を読み込み、メモリカード６０はアドレス帳１２のデータを記憶する。リモートコントローラー１０を使用する場合はメモリカード６０をカードリーダーインタフェース回路１０７のスロット（未図示）に挿入する。また、処理装置１０１の他の一機能はメモリカード６０に記憶されたアドレス帳１２のデータを読み込むことで、処理装置１０１は選択したアドレス帳１２を不揮発性記憶装置１０５に書き込むか、或いはクラウドストレージに記憶させる（未図示）。
【００２３】
図２及び図３に示すとおり、再生リスト１４には、少なくとも一以上の再生項目１４１を含む。再生リスト１４は具体的に、有線ケーブルテレビ局の電子番組ガイド、ラジオテレビ局の電子番組ガイド、インターネットテレビの電子番組ガイド、メディア提供サイトのＵＲＬ表、カラオケの歌曲総覧、ＣＤ／ＭＰ３の歌曲総覧、ＤＶＤのフィルム総覧、ＶＣＤのフィルム総覧、ブルーレイディスクの総覧の何れか一つ或いはその組み合わせをソースとする。再生項目１４１には少なくともメディアタイトル（Ｍｅｄｉａ  Ｔｉｔｌｅ）１４１ａ及びアクセス経路（Ａｃｃｅｓｓ  Ｐａｔｈ）１４１ｂを含む。再生項目１４１がアクセスするメディアは例えば、テレビ番組、映画、フィルム、歌曲等である。メディアタイトル１４１ａは、例えば“ＸＸ＿ＴＶ＿ＳＨＯＷ”“ＺＺ＿ＴＶ＿ＳＨＯＷ”である。アクセス経路１４１ｂはメディアのアクセス性質に応じて異なる。例えばアクセスしたいメディアが有線ケーブルテレビ局或いはラジオ/テレビ局の電子番組ガイドであるなら、アクセス経路１４１ｂはチャンネル番号である。また、アクセスしたいメディアがインターネットテレビの番組なら、アクセス経路１４１ｂはユニバーサルリソースロケータ（ＵＲＬ／Ｕｎｉｖｅｒｓａｌ  Ｒｅｓｏｕｒｃｅ  Ｌｏｃａｔｏｒ）となる。また、アクセスしたいメディアがクラウド或いはインターネット上のディスクに記憶された映画／フィルム／歌曲であるなら、アクセス経路１４１ｂはＵＲＬとなる。
【００２４】
リモートコントローラー１０は通信リンク５０を経由して関連サイトに接続し、再生リスト１４のソースをダウンロードし、処理装置１０１は該ソースを処理して再生リスト１４を作成する。再生リスト１４は不揮発性記憶装置１０５或いはリモートコントローラー１０内部の他のストレージに記憶させる（未図示）。
【００２５】
図１Ａ、１Ｂ、４に示すとおり、サーバー４０にはパソコン４０１及びデータバンク４０３を含む。データバンク４０３は各リモートコントローラー１０の各使用者（例えば使用者ＡＡ、ＸＸ、ＹＹ、ＺＺ等）がアップロードしたそれぞれ異なる内容のアドレス帳１２（即ち使用者ＡＡ、ＸＸ、ＹＹ、ＺＺに属する各リモートコントローラー１０中の各アドレス帳１２）を記憶する。サーバー４０は公知サーバーを採用可能である。
【００２６】
図５には本発明のリモートコントロール方法２０のフローを示す。ステップＳ２０１ではリモートコントローラー１０を提供する。リモートコントローラー１０の構造に関する詳細説明は既に上述に開示した通りであるので、ここでは記述を省く。尚、リモートコントローラー１０は次のステップＳ２０３からＳ２０９を実施する。ステップＳ４００でのサーバー４０はオンライン状態データ４０ａをリモートコントローラー１０に伝送し、リモートコントローラー１０の要求に反応する。
【００２７】
ステップＳ２０３において、リモートコントローラー１０は、アドレス帳１２のデータを取得し、通信リンク５０を経てアドレス帳１２をサーバー４０にアップロードする。サーバーはアドレス帳１２を受信すると、即刻アドレス帳１２を記憶し、データバンク４０３中の一アドレス帳１２となる。
【００２８】
図６に示すとおり、アドレス帳１２のリストデータのソースは、使用者の携帯電話のアドレス帳、インターネットで使用するソーシャルサイトのアドレス帳、インターネット電話のアドレス帳等とする。アドレス帳１２のデータ構造は主に、名称（ｎａｍｅ）１２１のフィールドを含み、主にどの人であるかの識別に用いる（例えば連絡者、友人、会員等）。アドレス帳１２のデータ構造はさらに、他データ１２３のフィールドを含み、他データ１２３は具体例としてメールアドレス（Ｅｍａｉｌ  Ａｄｄｒｅｓｓ）が挙げられる。例えばリモートコントローラー１０の使用者ＡＡ（ＡＡは使用者ＡＡの名称）のアドレス帳１２が現在３件記録されているなら、それぞれを、使用者ＸＸ（ＸＸは使用者ＸＸの名称）、使用者ＹＹ（ＹＹは使用者ＹＹの名称）、使用者ＺＺ（ＺＺは使用者ＺＺの名称）とする。
【００２９】
アドレス帳１２のデータ構造に基づき、本発明では公知の応用プログラム技術を利用してアドレス帳応用プログラム（未図示）を実際に書いてアドレス帳１２を構築することもできる。前記アドレス帳応用プログラムは前記リストデータソースをインポートし整理してアドレス帳１２を作成でき、前記アドレス帳応用プログラムは他パソコンで実行を可能とするか、或いは不揮発性記憶装置１０５に記憶して処理装置１０１による実行を可能とする。
【００３０】
図７または図８に示すとおり、ステップＳ２０５では、リモートコントローラー１０は、電子機器３０に対して再生項目１４１の再生に用いる無線信号コマンド１０６ａを伝送した後、通信リンク５０を経てサーバー４０に再生に用いる無線信号コマンド１０６ａに対応するメディア再生最新データ１６を伝送する。
【００３１】
前記再生項目１４１を再生する無線信号コマンド１０６ａの範囲には、例えばテレビチャンネルの切り換え、クリック、或いは指先によるディスプレイ１０３に表示したアイコン（Ｉｃｏｎ）或いは文字へのタッチ、その他電子機器３０に再生を行わせるヒューマンマシンインタフェースコマンド等を含む。
【００３２】
また、ステップＳ４００では、サーバー４０は、受信したメディア再生最新データ１６、事前に記憶し尚且つリモートコントローラー１０のアップロードに対応するアドレス帳１２'、及びアドレス帳１２'の各人が持つ別のリモートコントローラー１０'によってサーバー４０に送信された別の各メディア再生最新データ１６'に基づき、判断を行い、その後、通信リンク５０を経由してリモートコントローラー１０に対してオンラインデータ４０ａを伝送する。
【００３３】
図７に示すとおり、メディア再生最新データ１６のデータ構造は主に、名称１６１のフィールド、現在再生中のメディアを識別する識別データ１６３、及び時間１６５を含む。名称１６１はリモートコントローラー１０の使用者の名称であり、サーバー４０は名称１６１を利用して、サーバー４０のデータバンク４０３中の名称１６１に対応するアドレス帳１２'を探す。時間１６５はリモートコントローラー１０がいつメディア再生最新データ１６をアップロードしたかを記録する。
【００３４】
使用者ＡＡを例として説明する。使用者ＡＡのリモートコントローラー１０はメディア再生最新データ１６をアップロードし、アップロードしたメディア再生最新データ１６は即ち、データバンク４０３中の使用者ＡＡレコード（Ｒｅｃｏｒｄ）中のメディア再生最新データ１６'となる。サーバー４０は使用者ＡＡのメディア再生最新データ１６'の名称１６１に基づき、データバンク４０３中から対応するアドレス帳１２'を探し出す。これが即ちデータバンク４０３中の使用者ＡＡレコード（Ｒｅｃｏｒｄ）中のアドレス帳１２'である。その後、サーバー４０はアドレス帳１２'の各名称１２１（使用者ＸＸ、ＹＹ、ＺＺ）に基づいて、該名称の人員（即ち使用者ＸＸ、ＹＹ、ＺＺ）がサーバー４０にオンラインしているかオフラインであるかを判断する。サーバー４０にオンライン中であるなら、サーバー４０はオンライン中の名称１２１に基づいて、逐一その者がサーバー４０にアップロードしたメディア再生最新データ１６'を確認する。その後、サーバー４０は前記名称の人員のオンライン状態に基づいてオンラインデータ４０ａを作成し、続いて該オンラインデータ４０ａを通信リンク５０を経由してリモートコントローラー１０に送信する。
【００３５】
使用者ＡＡの例に基づいて図１中の各メディア再生最新データ１６'を説明する。現在、使用者ＸＸ、ＺＺは各々リモートコントローラー１０を使用し、電子機器３０をそれぞれ操作してメディア再生を行っている。よって、データバンク４０３は使用者ＸＸのメディア再生最新データ１６'と使用者ＺＺのメディア再生最新データ１６'を記憶する。使用者ＹＹは現在リモートコントローラー１０を使用しておらず、よってデータバンク４０３には使用者ＹＹのメディア再生最新データ１６'はない。
【００３６】
図８に示すとおり、オンラインデータ４０ａのデータ構造は主に、名称４０１１のフィールド、状態フラグ４０１３、及びメディアタイトル４０１５を含む。さらに説明を続けると、名称４０１１はアドレス帳１２の内の一名称１２１と同様であり、サーバー４０は名称４０１１のフィールドに前記使用者ＸＸ、ＹＹ、ＺＺの名称（Ｎａｍｅ）を書き込む。メディアタイトル４０１５は、再生項目１４１のメディアタイトル１４１ａと同様で、サーバー４０はメディアタイトル４０１５のフィールドに、前記使用者ＸＸ、ＹＹの各電子機器３０が再生中のメディア名称（Ｔｉｔｌｅ）を書き込む。状態フラグ４０１３は使用者ＸＸ、ＹＹ、ＺＺがサーバー４０にオンライン中か或いはオフラインかを表示するために用いる。
【００３７】
図９に示すとおり、ステップＳ２０７では、リモートコントローラー１０は通信リンク５０を経由してオンラインデータ４０ａを受信し、その後、リモートコントローラー１０はオンラインデータ４０ａに基づいて、ディスプレイ１０３はアドレス帳１２の各人の最新オンライン情報画面１０３ａを表示する。さらに説明を続けると、最新オンライン情報画面１０３ａに使用者ＸＸとＺＺはサーバー４０にオンライン中でそれぞれがＸＸ＿ＴＶ＿ＳＨＯＷとＺＺ＿ＴＶ＿ＳＨＯＷのテレビ番組を視聴している。使用者ＹＹはサーバー４０をオフライン中である。
【００３８】
ステップＳ２０９では、リモートコントローラー１０の処理装置１０１は選択性でソーシャルチャットプログラム１０５ｂを実行し、サーバー４０にオンライン中のアドレス帳１２の各人とソーシャルチャットプログラム１０５ｂによるコミュニケーションを図ることができる。さらに説明を続けると、リモートコントローラー１０の使用者ＡＡは選択性でソーシャルチャットプログラム１０５ｂを実行するかどうかを選択できる。よって、本発明のリモートコントローラー１０及びリモートコントロール方法２０を通して、使用者ＡＡ、使用者ＸＸ、使用者ＺＺの三者間がソーシャルチャットプログラム１０５ｂによるコミュニケーションを実行できる。例えば、使用者ＡＡがソーシャルチャットプログラム１０５ｂを通して使用者ＸＸを招待する時は、使用者ＡＡが見ているソーシャルメディアに加わり鑑賞するか或いは使用者ＡＡの所在する（娯楽）場所に行き一緒に楽しむことができる。
【００３９】
以上のステップＳ２０３乃至ステップＳ２０９はプログラムコード１０５ａを実施できる。
【００４０】
例えばスマートフォン、タブレットパソコン等のその他の電子機器にも本発明のリモートコントロール方法２０を応用することができる。この種の他の電子機器も本発明においては、本発明のリモートコントローラー１０が同等効果を備える装置となる。
【００４１】
ここで述べる電子機器３０とは具体的な例で述べるとテレビ、セットアップボックスあるいはパソコンである。
【００４２】
本発明のリモートコントローラー１０とリモートコントロール方法２０は、電子機器３０をリモートコントロール操作するのと同時に、ソーシャルメディア（例えばソーシャルテレビ）機能を提供することができるため、効果に顕著な向上がみられる特徴を備える。
【００４３】
本発明は具体的な実施例を前述の如く開示したが、これに制限されることはない。本技術の熟知者が本発明の精神と出願範囲を逸脱せずに各種の変更や修飾を行うことは可能であり、それによって為された変更や修飾は全て本発明の出願範囲に含まれることとする。尚、本発明の保護範囲は添付した特許登録請求に定めた範囲を基準とする。
【符号の説明】
【００４４】
１０      リモートコントローラー
１２      アドレス帳
１４      再生リスト
１６      メディア再生最新データ
２０      リモートコントロール方法
３０      電子機器
４０      サーバー
４０ａ      オンラインデータ
５０      通信リンク
６０      メモリカード
１０１    処理装置
１０２      入力装置
１０２ａ  操作コマンド
１０３      ディスプレイ
１０３ａ  最新オンライン情報画面１０３ａ
１０４      ネットワーク通信モジュール
１０５      不揮発性記憶装置
１０５ａ  プログラムコード
１０５ｂ  ソーシャルチャットプログラム
１０５ｃ  再生リスト
１０６    無線信号送信モジュール
１０７      カードリーダーインタフェース回路
１０６ａ  無線信号コマンド
１２１    名称
１２３      その他データ
１４１      再生項目
１４１ａ  メディアタイトル
１４１ｂ  アクセス経路
１６１      名称
１６３    識別データ
１６５    時間
２０１〜２０９  ステップ
４００      ステップ
４０１    パソコン
４０１１  名称
４０１３  状態フラグ
４０１５  メディアタイトル
４０３  データバンク
【図１Ａ】
2013097781.tif 000003
【図１Ｂ】
2013097781.tif 000004
【図２】
2013097781.tif 000005
【図３】
2013097781.tif 000006
【図４】
2013097781.tif 000007
【図５】
2013097781.tif 000008
【図６】
2013097781.tif 000009
【図７】
2013097781.tif 000010
【図８】
2013097781.tif 000011
【図９】
2013097781.tif 000012